【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
印刷に係るデータを生成して、両面印刷が可能な印刷装置に出力する情報処理装置が行う情報処理方法であって、
前記印刷装置が印刷する対象となるシートの各面への印刷に係るデータを、その印刷順序に従った並びで管理する管理工程と、
前記各面への印刷に係るデータを前記印刷順序に従って前記印刷装置に出力する出力工程と
を備えることを特徴とする情報処理方法。
【請求項２】
前記管理工程は、各シートの各面への印刷に係るデータを管理するための管理データを面毎に生成する生成工程を備え、
前記生成工程では、注目面に対して生成した管理データには、当該注目面の次に印刷されるべき面に対して生成した管理データを特定する為の特定データを含ませることを特徴とする請求項１に記載の情報処理方法。
【請求項３】
前記出力工程では、注目面に対して生成した管理データによって特定される印刷対象のデータを出力した後、前記注目面に対して生成した管理データに含まれる前記特定データを参照し、前記注目面の次に印刷されるべき面に対して生成した管理データを特定し、当該特定した管理データによって特定される印刷対象のデータを出力する処理を、各面に対して順次行うことを特徴とする請求項１又は２に記載の情報処理方法。
【請求項４】
印刷に係るデータを生成して、両面印刷が可能な印刷装置に出力する情報処理装置であって、
前記印刷装置が印刷する対象となるシートの各面への印刷に係るデータを、その印刷順序に従った並びで管理する管理手段と、
前記各面への印刷に係るデータを前記印刷順序に従って前記印刷装置に出力する出力手段と
を備えることを特徴とする情報処理装置。
【請求項５】
コンピュータに請求項１乃至３の何れか１項に記載の情報処理方法を実行させることを特徴とするプログラム。
【請求項６】
請求項５に記載のプログラムを格納したことを特徴とする、コンピュータ読みとり可能な記憶媒体。
【請求項７】
両面印刷が可能な印刷装置に出力される送信データを生成するコンピュータであって、
送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加する手段を備えることを特徴とするコンピュータ。
【請求項８】
両面印刷が可能な印刷装置に出力される送信データを生成するコンピュータであって、
２枚滞留で両面印刷可能でない場合には、末尾に裏ページを追加し、末尾に表ページを追加する手段と、
２枚滞留で両面印刷可能である場合には、送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加する手段を備えることを特徴とするコンピュータ。
【請求項９】
両面印刷が可能な印刷装置に出力される送信データを生成するコンピュータにおける情報処理方法であって、
送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加するステップを備えることを特徴とするコンピュータにおける情報処理方法。
【請求項１０】
両面印刷が可能な印刷装置に出力される送信データを生成するコンピュータにおける情報処理方法であって、
２枚滞留で両面印刷可能でない場合には、末尾に裏ページを追加し、末尾に表ページを追加するステップと、
２枚滞留で両面印刷可能である場合には、送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加するステップとを備えることを特徴とするコンピュータにおける情報処理方法。
【請求項１１】
両面印刷が可能な印刷装置に出力される送信データを生成するコンピュータで実行されるプログラムあって、
送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加するステップをコンピュータに実行させることを特徴とするプログラム。
【請求項１２】
両面印刷が可能な印刷装置に出力される送信データを生成するコンピュータで実行されるプログラムであって、
２枚滞留で両面印刷可能でない場合には、末尾に裏ページを追加し、末尾に表ページを追加するステップと、
２枚滞留で両面印刷可能である場合には、送信データ管理テーブルに空きテーブルがない場合、末尾に裏ページを追加し、末尾に空きテーブルを追加し、末尾に表ページを追加し、送信データ管理テーブルに空きテーブルがある場合、空きテーブルを裏ページに変更し、末尾に空きテーブルを追加し、末尾に表ページを追加するステップとをコンピュータに実行させることを特徴とするプログラム。
【請求項１３】
印刷に係るデータを生成して、両面印刷が可能な印刷装置に出力する情報処理装置であって、
前記印刷装置が印刷する対象となるシートの各面への印刷に係るデータを、その印刷順序に従った並びで管理する管理手段と、
前記各面への印刷に係るデータを、前記印刷順序に従って前記印刷装置に出力する出力手段とを備え、
前記管理手段は、各シートの各面への印刷に係るデータを管理するための管理データを、全ページが何ページであるかを特定することなく面毎に生成する生成手段を備え、
前記生成手段は、各面に対して生成した管理データには、当該各面の次に印刷されるべき面に対して生成した管理データを特定する為の特定データを含ませることを特徴とする情報処理装置。
【請求項１４】
両面印刷が可能な印刷装置に出力される送信データを生成するコンピュータであって、
送信データ管理テーブルに空きテーブルがない場合、送信データ管理テーブルの末尾に第１のシートの裏ページを追加し、送信データ管理テーブルの末尾に空きテーブルを追加し、送信データ管理テーブルの末尾に第１のシートの表ページを追加し、送信データ管理テーブルに空きテーブルがある場合、送信データ管理テーブルの空きテーブルを第２のシートの裏ページに変更し、送信データ管理テーブルの末尾に空きテーブルを追加し、送信データ管理テーブルの末尾に第２のシートの表ページを追加する手段を備えることを特徴とするコンピュータ。
【請求項１５】
両面印刷が可能な印刷装置に出力される送信データを生成するコンピュータであって、
２枚滞留で両面印刷可能でない場合には、送信データ管理テーブルの末尾に第１のシートの裏ページを追加し、送信データ管理テーブルの末尾に第１のシートの表ページを追加する手段と、
２枚滞留で両面印刷可能である場合には、送信データ管理テーブルに空きテーブルがない場合、送信データ管理テーブルの末尾に第２のシートの裏ページを追加し、送信データ管理テーブルの末尾に空きテーブルを追加し、送信データ管理テーブルの末尾に第２のシートの表ページを追加し、送信データ管理テーブルに空きテーブルがある場合、送信データ管理テーブルの空きテーブルを第３のシートの裏ページに変更し、送信データ管理テーブルの末尾に空きテーブルを追加し、送信データ管理テーブルの末尾に第３のシートの表ページを追加する手段と
を備えることを特徴とするコンピュータ。
【請求項１６】
印刷に係るデータを生成して、両面印刷が可能な印刷装置に出力する情報処理装置が行う情報処理方法であって、
前記印刷装置が印刷する対象となるシートの各面への印刷に係るデータを、その印刷順序に従った並びで管理する管理工程と、
前記各面への印刷に係るデータを、前記印刷順序に従って前記印刷装置に出力する出力工程とを備え、
前記管理工程は、各シートの各面への印刷に係るデータを管理するための管理データを、全ページが何ページであるか特定することなく面毎に生成する生成工程を備え、
前記生成工程では、各面に対して生成した管理データには、当該各面の次に印刷されるべき面に対して生成した管理データを特定する為の特定データを含ませることを特徴とする情報処理方法。
【請求項１７】
両面印刷が可能な印刷装置に出力される送信データを生成するコンピュータが行う情報処理方法であって、
送信データ管理テーブルに空きテーブルがない場合、送信データ管理テーブルの末尾に第１のシートの裏ページを追加し、送信データ管理テーブルの末尾に空きテーブルを追加し、送信データ管理テーブルの末尾に第１のシートの表ページを追加し、送信データ管理テーブルに空きテーブルがある場合、送信データ管理テーブルの空きテーブルを第２のシートの裏ページに変更し、送信データ管理テーブルの末尾に空きテーブルを追加し、送信データ管理テーブルの末尾に第２のシートの表ページを追加するステップを備えることを特徴とする情報処理方法。
【請求項１８】
両面印刷が可能な印刷装置に出力される送信データを生成するコンピュータが行う情報処理方法であって、
２枚滞留で両面印刷可能でない場合には、送信データ管理テーブルの末尾に第１のシートの裏ページを追加し、送信データ管理テーブルの末尾に第１のシートの表ページを追加するステップと、
２枚滞留で両面印刷可能である場合には、送信データ管理テーブルの送信データ管理テーブルに空きテーブルがない場合、送信データ管理テーブルの末尾に第２のシートの裏ページを追加し、送信データ管理テーブルの末尾に空きテーブルを追加し、送信データ管理テーブルの末尾に第２のシートの表ページを追加し、送信データ管理テーブルに空きテーブルがある場合、送信データ管理テーブルの空きテーブルを第３のシートの裏ページに変更し、送信データ管理テーブルの末尾に空きテーブルを追加し、送信データ管理テーブルの末尾に第３のシートの表ページを追加するステップと
を備えることを特徴とする情報処理方法。
【請求項１９】
印刷に係るデータを生成して、両面印刷が可能な印刷装置に出力するコンピュータで実行されるプログラムであって、
前記印刷装置が印刷する対象となるシートの各面への印刷に係るデータを、その印刷順序に従った並びで管理する管理ステップと、
前記各面への印刷に係るデータを、前記印刷順序に従って前記印刷装置に出力する出力ステップとをコンピュータに実行させ、
前記管理ステップは、各シートの各面への印刷に係るデータを管理するための管理データを、全ページが何ページであるか特定することなく面毎に生成する生成ステップを有し、
前記生成ステップでは、各面に対して生成した管理データには、当該各面の次に印刷されるべき面に対して生成した管理データを特定する為の特定データを含ませることを特徴とするプログラム。
【請求項２０】
両面印刷が可能な印刷装置に出力される送信データを生成するコンピュータで実行されるプログラムであって、
送信データ管理テーブルに空きテーブルがない場合、送信データ管理テーブルの末尾に第１のシートの裏ページを追加し、送信データ管理テーブルの末尾に空きテーブルを追加し、送信データ管理テーブルの末尾に第１のシートの表ページを追加し、送信データ管理テーブルに空きテーブルがある場合、送信データ管理テーブルの空きテーブルを第２のシートの裏ページに変更し、送信データ管理テーブルの末尾に空きテーブルを追加し、送信データ管理テーブルの末尾に第２のシートの表ページを追加するステップをコンピュータに実行させることを特徴とするプログラム。
【請求項２１】
両面印刷が可能な印刷装置に出力される送信データを生成するコンピュータで実行されるプログラムであって、
２枚滞留で両面印刷可能でない場合には、送信データ管理テーブルの末尾に第１のシートの裏ページを追加し、送信データ管理テーブルの末尾に第１のシートの表ページを追加するステップと、
２枚滞留で両面印刷可能である場合には、送信データ管理テーブルに空きテーブルがない場合、送信データ管理テーブルの末尾に第２のシートの裏ページを追加し、送信データ管理テーブルの末尾に空きテーブルを追加し、送信データ管理テーブルの末尾に第２のシートの表ページを追加し、送信データ管理テーブルに空きテーブルがある場合、送信データ管理テーブルの空きテーブルを第３のシートの裏ページに変更し、送信データ管理テーブルの末尾に空きテーブルを追加し、送信データ管理テーブルの末尾に第３のシートの表ページを追加するステップとをコンピュータに実行させることを特徴とするプログラム。